【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
ユーザ機器におけるワイヤレス通信の方法であって、
ユーザ機器において送信時間間隔（ＴＴＩ）中に、制御チャネルについて第１の探索空間を監視することと、
前記ユーザ機器において前記ＴＴＩ中に、データチャネルについて第２の探索空間を監視することと、
を備え、
前記第１の探索空間は、前記制御チャネルの第１のＴＴＩバンドリング長さに少なくとも部分的に基づき、前記第２の探索空間は、前記データチャネルの第２のＴＴＩバンドリング長さに少なくとも部分的に基づく、方法。
【請求項２】
前記第１の探索空間から前記制御チャネルをブラインド復号することと、
前記第２の探索空間から前記データチャネルをブラインド復号することと、
をさらに備える、請求項１に記載の方法。
【請求項３】
前記制御チャネルは、対応する共有データチャネルをスケジュールする物理制御チャネルを備え、
前記データチャネルは、いかなる制御チャネルにも関連付けられていない物理共有チャネルを備える、請求項２に記載の方法。
【請求項４】
前記データチャネルは畳み込み符号化される、請求項１に記載の方法。
【請求項５】
ブロードキャスト送信に関連する追加の制御チャネルについて前記ＴＴＩ中に第３の探索空間を監視すること、
をさらに備える、請求項１に記載の方法。
【請求項６】
前記ユーザ機器（ＵＥ）のための無関連のデータ監視モードをイネーブルにすること、
をさらに備え、
前記第２の探索空間を監視することは、前記イネーブルにされた無関連のデータ監視モードに少なくとも部分的に基づく、
請求項１に記載の方法。
【請求項７】
前記第１の探索空間は、共通探索空間を備える、請求項１に記載の方法。
【請求項８】
ユーザ機器におけるワイヤレス通信のための装置であって、
ユーザ機器において送信時間間隔（ＴＴＩ）中に、制御チャネルについて第１の探索空間を監視するための手段と、
前記ユーザ機器において前記ＴＴＩ中に、データチャネルについて第２の探索空間を監視するための手段と、
を備え、
前記第１の探索空間は、前記制御チャネルの第１のＴＴＩバンドリング長さに少なくとも部分的に基づき、前記第２の探索空間は、前記データチャネルの第２のＴＴＩバンドリング長さに少なくとも部分的に基づく、装置。
【請求項９】
前記第１の探索空間から前記制御チャネルをブラインド復号するための手段と、
前記第２の探索空間から前記データチャネルをブラインド復号するための手段と、
をさらに備える、請求項８に記載の装置。
【請求項１０】
前記制御チャネルは、対応する共有データチャネルをスケジュールする物理制御チャネルを備え、
前記データチャネルは、いかなる制御チャネルにも関連付けられていない物理共有チャネルを備える、請求項９に記載の装置。
【請求項１１】
前記データチャネルは畳み込み符号化される、請求項８に記載の装置。
【請求項１２】
ブロードキャスト送信に関連する追加の制御チャネルについて前記ＴＴＩ中に第３の探索空間を監視するための手段
をさらに備える、請求項８に記載の装置。
【請求項１３】
ユーザ機器（ＵＥ）のための無関連のデータ監視モードをイネーブルにするための手段
をさらに備え、前記第２の探索空間を監視することは、前記イネーブルにされた無関連のデータ監視モードに少なくとも部分的に基づく、
請求項８に記載の装置。
【請求項１４】
前記第１の探索空間は、共通探索空間を備える、請求項８に記載の装置。
【請求項１５】
ユーザ機器におけるワイヤレス通信のためのコードを記憶する非一時的コンピュータ可読媒体であって、前記コードは、
ユーザ機器において送信時間間隔（ＴＴＩ）中に、制御チャネルについて第１の探索空間を監視することと、
前記ユーザ機器において前記ＴＴＩ中に、データチャネルについて第２の探索空間を監視することと、
を行うように実行可能な命令を備え、
前記第１の探索空間は、前記制御チャネルの第１のＴＴＩバンドリング長さに少なくとも部分的に基づき、前記第２の探索空間は、前記データチャネルの第２のＴＴＩバンドリング長さに少なくとも部分的に基づく、非一時的コンピュータ可読媒体。
【手続補正２】
【補正対象書類名】明細書
【補正対象項目名】０１６８
【補正方法】変更
【補正の内容】
【０１６８】
[0189]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡはユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書において記載される技法は、上述のシステムおよび無線技術、ならびに他のシステムおよび無線技術に使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
［Ｃ１］
ワイヤレス通信の方法であって、
第１のチャネルについて送信時間間隔（ＴＴＩ）中に第１の探索空間を監視することと、
第２のチャネルについて前記ＴＴＩ中に第２の探索空間を監視することと、
を備える、方法。
［Ｃ２］
前記第１のチャネルは制御チャネルであり、前記第２のチャネルはデータチャネルである、Ｃ１に記載の方法。
［Ｃ３］
前記第１の探索空間から前記制御チャネルをブラインド復号することと、
前記第２の探索空間から前記データチャネルをブラインド復号することと、
をさらに備える、Ｃ２に記載の方法。
［Ｃ４］
前記制御チャネルは、対応する共有データチャネルをスケジュールする物理制御チャネルを備え、
前記データチャネルは、いかなる制御チャネルにも関連付けられていない物理共有チャネルを備える、Ｃ３に記載の方法。
［Ｃ５］
前記データチャネルは畳み込み符号化される、Ｃ２に記載の方法。
［Ｃ６］
ブロードキャスト送信に関連する追加の制御チャネルについて前記ＴＴＩ中に第３の探索空間を監視すること、
をさらに備える、Ｃ２に記載の方法。
［Ｃ７］
ユーザ機器（ＵＥ）のための無関連のデータ監視モードをイネーブルにすること、をさらに備え、
前記第２の探索空間を監視することは、前記イネーブルにされた無関連のデータ監視モードに少なくとも部分的に基づく、
Ｃ１に記載の方法。
［Ｃ８］
前記第１の探索空間は、共通探索空間を備える、Ｃ１に記載の方法。
［Ｃ９］
前記第１のチャネルは第１のデータチャネルであり、前記第２のチャネルは第２のデータチャネルである、Ｃ１に記載の方法。
［Ｃ１０］
前記第１の探索空間から前記第１のデータチャネルをブラインド復号することと、
前記第２の探索空間から前記第２のデータチャネルをブラインド復号することと、
をさらに備える、Ｃ９に記載の方法。
［Ｃ１１］
前記第１の探索空間は、前記第１のチャネルの第１のＴＴＩバンドリング長さに少なくとも部分的に基づいて監視され、前記第２の探索空間は、前記第２のチャネルの第２のＴＴＩバンドリング長さに少なくとも部分的に基づいて監視される、Ｃ１に記載の方法。
［Ｃ１２］
ワイヤレス通信のための装置であって、
第１のチャネルについて送信時間間隔（ＴＴＩ）中に第１の探索空間を監視するための手段と、
第２のチャネルについて前記ＴＴＩ中に第２の探索空間を監視するための手段と、
を備える、装置。
［Ｃ１３］
前記第１のチャネルは制御チャネルであり、前記第２のチャネルはデータチャネルである、Ｃ１２に記載の装置。
［Ｃ１４］
前記第１の探索空間から前記制御チャネルをブラインド復号するための手段と、
前記第２の探索空間から前記データチャネルをブラインド復号するための手段と、
をさらに備える、Ｃ１３に記載の装置。
［Ｃ１５］
前記制御チャネルは、対応する共有データチャネルをスケジュールする物理制御チャネルを備え、
前記データチャネルは、いかなる制御チャネルにも関連付けられていない物理共有チャネルを備える、Ｃ１４に記載の装置。
［Ｃ１６］
前記データチャネルは畳み込み符号化される、Ｃ１３に記載の装置。
［Ｃ１７］
ブロードキャスト送信に関連する追加の制御チャネルについて前記ＴＴＩ中に第３の探索空間を監視するための手段
をさらに備える、Ｃ１３に記載の装置。
［Ｃ１８］
ユーザ機器（ＵＥ）のための無関連のデータ監視モードをイネーブルにするための手段、ここにおいて、前記第２の探索空間を監視することは、前記イネーブルにされた無関連のデータ監視モードに少なくとも部分的に基づく、
をさらに備える、Ｃ１２に記載の装置。
［Ｃ１９］
前記第１の探索空間は、共通探索空間を備える、Ｃ１２に記載の装置。
［Ｃ２０］
前記第１のチャネルは第１のデータチャネルであり、前記第２のチャネルは第２のデータチャネルである、Ｃ１２に記載の装置。
［Ｃ２１］
前記第１の探索空間から前記第１のデータチャネルをブラインド復号するための手段と、
前記第２の探索空間から前記第２のデータチャネルをブラインド復号するための手段と、
をさらに備える、Ｃ２０に記載の装置。
［Ｃ２２］
ワイヤレス通信のための装置であって、
プロセッサと、
前記プロセッサと電子通信しているメモリと、
前記メモリ中に記憶され、前記プロセッサによって実行されたとき、前記装置に、
第１のチャネルについて送信時間間隔（ＴＴＩ）中に第１の探索空間を監視することと、
第２のチャネルについて前記ＴＴＩ中に第２の探索空間を監視することと、
を行わせるように動作可能な命令と、
を備える、装置。
［Ｃ２３］
前記第１のチャネルは制御チャネルであり、前記第２のチャネルはデータチャネルである、Ｃ２２に記載の装置。
［Ｃ２４］
前記命令は、前記装置に、
前記第１の探索空間から前記制御チャネルをブラインド復号することと、
前記第２の探索空間から前記データチャネルをブラインド復号することと
を行わせるように動作可能である、Ｃ２３に記載の装置。
［Ｃ２５］
前記制御チャネルは、対応する共有データチャネルをスケジュールする物理制御チャネルを備え、
前記データチャネルは、いかなる制御チャネルにも関連付けられていない物理共有チャネルを備える、Ｃ２４に記載の装置。
［Ｃ２６］
前記データチャネルが畳み込み符号化される、Ｃ２３に記載の装置。
［Ｃ２７］
前記命令は、前記装置に、
ブロードキャスト送信に関連する追加の制御チャネルについて前記ＴＴＩ中に第３の探索空間を監視すること
を行わせるように動作可能である、Ｃ２３に記載の装置。
［Ｃ２８］
前記命令は、前記装置に、
ユーザ機器（ＵＥ）のための無関連のデータ監視モードをイネーブルにすること、を行わせるように動作可能であり、
前記第２の探索空間を監視することは、前記イネーブルにされた無関連のデータ監視モードに少なくとも部分的に基づく、
Ｃ２２に記載の装置。
［Ｃ２９］
前記第１のチャネルは第１のデータチャネルであり、前記第２のチャネルは第２のデータチャネルである、Ｃ２２に記載の装置。
［Ｃ３０］
ワイヤレス通信のためのコードを記憶する非一時的コンピュータ可読媒体であって、前記コードは、
第１のチャネルについて送信時間間隔（ＴＴＩ）中に第１の探索空間を監視することと、
第２のチャネルについて前記ＴＴＩ中に第２の探索空間を監視することと、
を行うように実行可能な命令を備える、非一時的コンピュータ可読媒体。